(57)【要約】      （修正有）【課題】蓋を開閉することなく容器の内部に収納したおかず等を視認することができ、弁当のおかず等を視認することで弁当等の販売上便利であり、且つ蓋を開閉操作することで、購買者に興味を喚起して弁当等を購入し得るようにした食品容器を提供する。【解決手段】箱体２と、箱体２に被冠する蓋体５とからなる食品容器１において、蓋体には、開閉自在な窓６を設け、窓を開閉７することで内部を視認可能とした食品容器。【選択図】図１
0003136919.tif 000002
【実用新案登録請求の範囲】
【請求項１】
箱体と、該箱体に被冠する蓋体とからなる食品容器において、
前記蓋体には、開閉自在な窓を設け、該窓を開閉することで内部を視認可能とした、
ことを特徴とする食品容器。
【請求項２】
前記窓の開閉は、蓋体に付設した引き戸片であることを特徴とする請求項１に記載の食品容器。
【請求項３】
底片、底片の周縁から起立する周壁片を備える上方に開放した箱体と、該箱体の上に被せる板状の内蓋体と、該内蓋体の上から被せ、面積の大きい開口を備える頂片、該頂片の周縁から垂下される周壁片を備え、箱体に上から被冠する外蓋体とからなり、
前記内蓋体の一部には視認窓を設け、
前記外蓋体と前記内蓋体との間には、該内蓋体の前記視認窓を開閉する引き戸片を設けた、
ことを特徴とする食品容器。
【請求項４】
前記箱体、内蓋体及び外蓋体は、平面視矩形であることを特徴とする請求項３に記載の食品容器。
【請求項５】
前記引き戸片には、外蓋体の開口の縁辺部に当接するストッパーを設けたことを特徴とする請求項３に記載の食品容器。
【請求項６】
前記視認窓は、丸窓、方形窓、花頭窓、雲形窓の何れかであり、前記引き戸片は、障子模様を描いてなることを特徴とする請求項３に記載の食品容器。
【考案の詳細な説明】
【技術分野】
【０００１】
本考案は、ご飯、おかずを収納し、弁当として提供する食品容器に関するものである。
【背景技術】
【０００２】
紙容器等の容器に、ご飯とおかずとを収納して弁当とする食品容器は知られている。これらの弁当は、鉄道の駅等で販売される駅弁や空港で販売される空弁、デパート等で販売される弁当の容器には種々の工夫を凝らしているものが実用に供されている。
【０００３】
従来、弁当等の容器は知られている（例えば、特許文献１及び特許文献２参照。）。
【特許文献１】特開２０００−６９５０号公報
【特許文献２】特開平８−１５０００８号公報
【０００４】
特許文献１は「内箱付き容器」に係り、内蓋を底箱内の上半部に嵌合し、外箱内を二段に仕切、上位の内箱の上を、外箱に付設した蓋片で全面的に開閉する構造である。
特許文献２は「組立式蓋付き井桁折り箱」に係り、中蓋部材を収納する箱体の開放上面を開閉する蓋板を左右に分割し、左右の蓋板は箱体の左右の側板部の上端部に山折りして連結して設けられている。
【０００５】
以上の従来技術では、先ず特許文献１の容器では、蓋片を全面的に開放しないと、箱内に収納した弁当の内容や様子を視認することができない。
従って、容器内の弁当のおかずや様子を確認するのには、容器に収納された弁当を露出させるべき開蓋し、透明なラップ等を掛けて弁当の中身を視認し得るようにして販売せざるを得ない。
特許文献２の容器では、蓋が左右に開くだけであって、容器に収納された弁当の中身を視認するのには、蓋を左右、或いは左右一方に開いて露出し、視認する必要があり、特許文献１と同様の不都合がある。
【考案の開示】
【考案が解決しようとする課題】
【０００６】
本考案は、弁当の容器等において、蓋を開閉することなく容器の内部に収納したおかず等を視認することができ、弁当のおかず等を視認することで弁当等の販売上便利であり、且つ蓋を開閉操作することで、購買者に興味を喚起して弁当等を購入し得るようにした食品容器を提供することを課題とする。
【課題を解決するための手段】
【０００７】
請求項１に係る考案は、食品容器であって、箱体と、該箱体に被冠する蓋体とからなる食品容器において、前記蓋体には、開閉自在な窓を設け、該窓を開閉することで内部を視認可能としたことを特徴とする。
【０００８】
請求項２に係る考案は、請求項１において、前記窓の開閉は、蓋体に付設した引き戸片であることを特徴とする。
【０００９】
請求項３に係る考案は、食品容器であって、底片、底片の周縁から起立する周壁片を備える上方に開放した箱体と、該箱体の上に被せる板状の内蓋体と、該内蓋体の上から被せ、面積の大きい開口を備える頂片、該頂片の周縁から垂下される周壁片を備え、箱体に上から被冠する外蓋体とからなり、前記内蓋体の一部には視認窓を設け、前記外蓋体と前記内蓋体との間には、該内蓋体の前記視認窓を開閉する引き戸片を設けたことを特徴とする。
【００１０】
請求項４に係る考案は、請求項３において、前記箱体、内蓋体及び外蓋体は、平面視矩形であることを特徴とする。
【００１１】
請求項５に係る考案は、請求項３において、前記引き戸片には、外蓋体の開口の縁辺部に当接するストッパーを設けたことを特徴とする。
【００１２】
請求項６に係る考案は、請求項３において、前記視認窓は、丸窓、方形窓、花頭窓、雲形窓の何れかであり、前記引き戸片は、障子模様を模してなることを特徴とする。
【考案の効果】
【００１３】
請求項１に係る考案では、弁当を収納した食品容器の蓋体に開閉自在な窓を設け、窓を開閉することで内部を視認可能としたので、蓋体を開けることなく、食品容器の内部を視認することができ、例えば、窓部分を食品容器に収納した弁当のおかず等とすることで、蓋体を開けることなく、窓の開閉でおかず等を視認して確認し、弁当を購入することができ、窓の開閉操作という興趣に富む操作を付随させることで、弁当の購入に際し、購買意欲を高めることができるとともに、窓に透明フィルム等を貼着等することで、衛生的に弁当等の中身を確認することができる。
【００１４】
請求項２に係る考案では、窓の開閉を蓋体に付設した引き戸片で行うようにしたので、請求項１の効果に加えるに、窓の開閉操作が簡単であり、開閉操作は、引き戸を引き、又引き戸を押す操作なので、操作が興趣に富み、購買に際し、楽しみながら弁当のおかず等の中身を確認することができるとともに、窓の開閉機構も簡易に構成することができる。
【００１５】
請求項３に係る考案では、箱体と、箱体の上に被せる板状の内蓋体と、内蓋体の上から被せ、面積の大きい開口を備える頂片を有する箱体に上から被冠する外蓋体からなり、内蓋体の一部には視認窓を設け、外蓋体と内蓋体との間には、内蓋体の視認窓を開閉する引き戸片を設けたので、外蓋体を開けることなく、引き戸片を引いて内蓋体の窓を開放することで、食品容器の内部を視認することができる。
従って、例えば、窓部分を食品容器に収納した弁当のおかず等とすることで、外蓋体を開けることなく、窓の開閉でおかず等を視認して確認し、弁当を購入することができ、窓の開閉操作という興趣に富む操作を付随させることで、弁当の購入に際し、購買意欲を高めることができるとともに、内蓋体に設けた窓に透明フィルム等を貼着等することで、衛生的に弁当等の中身を確認することができる。
【００１６】
また、外蓋体に開口を設け、開口内に引き戸片を臨ませ、開口内で引き戸片を摺動させ、内蓋体の窓を開閉することとなり、窓の閉蓋状態で開口から表れる内蓋体と引き戸片とを組み合わせることで、例えば、障子と和風の絵画等を組み合わせて購買者に訴えかける挙手に富むデザインの食品容器、弁当箱を得ることができる。
【００１７】
請求項４に係る考案では、食品容器は、箱体、内蓋体及び外蓋体が平面視矩形なので、請求項３の効果に加えるに、弁当等の収納がし易く、また、弁当箱として、引き戸片、周辺部の余白部の絵画、模様等にデザイン性に優れた物が得やすい。
【００１８】
請求項５に係る考案では、引き戸片に外蓋体の開口の縁辺部に当接するストッパーを設けたので、請求項３の効果に加えるに、引き戸片による窓の開閉が確実になされる。
【００１９】
請求項６に係る考案では、視認窓を、丸窓、方形窓、花頭窓、雲形窓の何れかとしたので、窓の形状と引き戸片の形状、模様、開口下の内蓋体に表示した模様や絵画と併せ、趣味性の高い、興趣に富む弁当箱を提供することができ、食品容器に収納する弁当の価値を高めることができる。
また、以上を、窓の形状の設定、これと関連するように引き戸片の模様等の設定、空白部分の模様、絵画の設定で行うことができる。
【考案を実施するための最良の形態】
【００２０】
本考案を実施するための最良の形態を添付図に基づいて以下に説明する。なお、図面は符号の向きに見るものとする。
図１は、本考案に係る食品容器の第１の実施の形態を示し、蓋体と箱体を分離した外観斜視図、図２は、図１の２−２線断面図である。
食品容器１は、本実施の形態では、幅に比較して前後が長い全体形状は矩形とし、箱体２と蓋体５とからなる。
【００２１】
食品容器１の箱体２は、底片２ａ、底片２ａの四周縁から起立した周壁片２ｂ…（…は複数を表す。以下同じ）からなり、上方に開放している。
実施の形態では、箱体２の全長の略々１／３程度の箇所に、幅方向に横断するように仕切片３を配設し、箱体の内部空間４内を、大きいご飯収納スペース４ａと、これよりも小さいおかず収納スペース４ｂに区画した。
【００２２】
蓋体５は、箱体２を覆う頂片５ａ、頂片５ａの四周縁から垂下し、前記した箱体２の周壁片２ｂ…の外側を囲繞する周壁片５ｂ…を有し、箱体２の上から蓋体５を着脱自在（開閉自在）に被冠し、収納したご飯、おかず等からなる弁当を覆う。
蓋体５の頂片５ａの一部、具体的には、頂片５ａで塞ぐ箱体２の前記したおかず収納スペース４ｂの上方にかかるように、視認窓６を開口設置する。
視認窓６は、おかず収納スペース４ｂに収納したおかず等を確認し得るように比較的大面積である。
【００２３】
視認窓６には開閉片７で開閉自在に塞ぎ、実施の形態では開閉片７は頂片５ａの長さ方向に移動して開閉する引き戸片とした。
図２で示したように、頂片５ａの底面の一部には、左右にガイドレール８，８を設け、ガイドレール８，８間に、前記した引き戸片７の左右両端部７ａ，７ａを係合し、引き戸片７を頂片５ａの長さ方向に、該頂片５ａの下面において摺動自在とする。
引き戸片７の端部には、視認窓６の端縁部６ａと当接することで開閉限を規制し、且つ摘持することで、容易に引き戸片７の開閉操作を行わせる規制片７ｂを設けた。
【００２４】
以上においては、箱体２のご飯収納スペース４ａ、おかず収納スペース４ｂに夫々ご飯、おかず等を収納し、蓋体５を上から被冠して収納されたご飯、おかずを塞いで閉蓋し、弁当を形成する。
以上において、閉蓋した状態で弁当は提供される。弁当箱の上記した引き戸片７を引くことで視認窓６が開き、引き戸片７の開放限は規制片７ｂが視認窓６の奥の端縁部６ｂに当接することで規制され、開放された視認窓６から弁当箱内のおかず等が視認することができることとなる。
このように、蓋体５を箱体２から外して内部を視認することで、弁当箱内に収納した弁当の中身、就中おかず等を確認することができる。
【００２５】
以上の食品容器は、実施の形態では平面視矩形としたが、円形、長円形、楕円形、四角以外の多角形、例えば６角形、８角形等の形状とすることができる。
また、以上の食品容器１は、箱体、蓋体ともに紙や内側に樹脂コーティングした紙等で形成する。紙以外の樹脂等で形成しても良い。
【００２６】
図３は、本考案の第２の実施の形態を示す分解斜視図、図４は箱体の単体を示す斜視図、図５は図４の５−５線断面図、図６は、外蓋体の底面から見た斜視図、図７は図６の７−７線断面図、図８は内蓋体及び引き戸片を示し、（ａ）は内蓋体の平面図、（ｂ）は引き戸片の平面図である。
食品容器１１は、矩形の箱体１２、外蓋体１４、内蓋体１６及び引き戸片１９からなる。
【００２７】
箱体１２は図３、図４、図５に示すとおりで、底片１２ａと、底片１２ａの四周縁部を起立して囲繞する周壁片１２ｂ…とからなる。
実施例では、底片１２ａの四周の余片部を山折りし、内外二重壁を構成して周壁片１２ｂ…を形成した。箱体１２内に、ご飯やおかず等を収納する上方に開放した空間１３を形成する。
【００２８】
外蓋体１４は、図３、図６、図７に示す通りで、箱体よりも浅い矩形をなし、頂片１４ａと、頂片１４ａの周縁部を囲繞し、折曲垂下された周壁片１４ｂ…とからなる。
図７に示したように、頂片１４ａの四周の余片部を山折りし、内外二重壁を構成して周壁片１４ｂ…を形成した。周壁片１４ｂの左右のものの上端部内側には、後述する内蓋体１６の係止片を係止する切欠１４ｃ…を、前後に離間して形成する。また、前後の周壁片の幅方向中間部にも切欠１４ｃ，１４ｃを形成した。
尚、図６、図７では、切欠１４ｃ…は、周壁片の左右のものの一側のみが表されているが、他側も同様に前後に離間して２箇所形成されている。
【００２９】
以上の外蓋体１４の頂片１４ａには、幅方向に大きく、且つ前後方向にも大きい、大面積の開口１５を設ける。
開口１５は、実施例では、開口１５の長さ方向の前半部１５ａに対し後半部１５ｂは、前半部１５ａの上下縁１５ｃ，１５ｄが、後半部１５ｂの上下縁１５ｅ，１５ｆに対して上下に位相がズレるように形成して幅が大きい雲形類似形状とした。
【００３０】
内蓋体１６は図３、図８の（ａ）に示すとおりで、箱体１２を全面的に覆う板状を板状部材からなり、左右の側縁部１６ａ，１６ａには、前後に離間して各２箇所の係止片１６ｃ…を突設し、また、前後の縁部１６ｂ，１６ｂには、幅方向中央部に１箇所の係止片１６ｃ，１６ｃを突設する。
【００３１】
以上の内蓋体１６の前後方向（長さ方向）の一方に偏寄した部分に視認窓１７を穿設して設ける。
視認窓１７は、食品容器の箱体１２内に収容したおかず等を十分に視認可能な程度の大きさとし、実施例では下辺を直線状とした円窓とした。視認窓１７には、裏面から透明フィルム１８を貼着して窓を覆い、衛生を確保した。
【００３２】
視認窓１７を開閉する引き戸片１９は、図３及び図８の（ｂ）に示すとおりで、引き戸片１９は、前記した視認窓１７を閉塞するに必要、十分に面積を有し、且つ幅は外蓋体１４の開口１５よりも幅が大きく、内蓋体１６と略々同じ幅を有する板状部材で形成する。
引き戸片１９の左右両側部には、前後に少しく長いガイド片部１９ａ，１９ａを備え、引き戸片１９の前後方向に長さは、開口の前半部１５ａ、後半部１５ｂの長さと略々同じとした。
引き戸片１９の前端部１９ｂの幅方向中央部には、幅が小さい規制片（摘み片）を折曲、起設する。
【００３３】
図９は、食品容器（弁当箱）として組立後の状態を示す斜視図であり、図１０は、図９の１０−１０線断面図である。
これらの図面に従って、更に説明を進めると、内蓋体１６と外蓋体１４との間で、開口１５の下と内蓋体１６との間に引き戸片１９を挟み込むように配置し、内蓋体１６の左右両側の係止片及び前後端部の係止片１６ｃ…を、外蓋体１４の周壁片１４ｂ…の両内側、前後の内側に設けた切欠１４ｃ…に係合する。
これにより、内蓋体１６は、外蓋体１４の頂片１４ａ下面に係止されることとなり、この間に引き戸片１９が挟入されて保持されることとなる。
【００３４】
引き戸片１９は、図９に示すように、左右両側のガイド片部１９ａ，１９ａが、外蓋体１４の開口１５の前半部１５ａの上下縁１５ｃ，１５ｄ、後半部１５ｂの上下縁１５ｅ，１５ｆの外方に臨み、これらの部分が枠状となり、頂片１４ａの内方を囲む枠部１４ｄの左右の下側に臨む。
図のように、引き戸片１９を図の右手前側に引いた状態で、規制片１９ｃが開口の前縁部１５ｇに接し、これ以上の移動を規制される。
【００３５】
これにより、図１０に示したとおり、閉蓋した食品容器１１は、内部に収容したご飯やおかず等は、引き戸片１９が視認窓１７を閉塞しているので、内部を視認することができない。
引き戸片１９は、規制片（摘み片）１９ｃを摘持して開放方向に摺動させ、これにより引き戸片１９は移動して視認窓１７を開放し、この窓から内部、即ち、弁当のおかず（
副菜）等を視認することができる。この際、視認窓１７は透明フィルム１８が貼着等されているので、衛生的である。
【００３６】
以上の食品容器は、実施の形態では平面視矩形としたが、円形、長円形、楕円形、四角以外の多角形、例えば６角形、８角形等の形状とすることができる。
また、以上の食品容器１は、箱体、蓋体ともに紙や内側に樹脂コーティングした紙等で形成する。紙以外の樹脂等で形成しても良い。
【００３７】
図１１〜図１５は、上記した第２の実施の形態の実際の例及び他の実施例を示す図で、図１１は、第１実施例の引き戸を閉じた状態の斜視図、図１２は、視認窓開放状態の図、図１３は、視認窓の第２実施例の斜視図、図１４は、視認窓の第３実施例の斜視図、図１５は、視認窓の第４実施例の斜視図である。
これらの図面に従って、各種のバリエーションを説明する。
【００３８】
図１１の実施例は、引き戸片１９の表面に格子模様、或いは格子障子の絵画Ａを表示し、視認窓１７を障子で締めた状態を模し、閉じた状態の引き戸片１９に隣接する開口１５の図の左半部１５ｂに臨む内蓋体１６の左半部分の表面に、視認窓及び障子模様の引き戸に関連する絵画Ｂを表示する。
食品容器を和風弁当箱として用いる場合を想定すると、例えば、実施例では障子模様、丸窓からなる視認窓とを関連付け、絵画Ｂとしては、弁当の料理に相応しい絵画、例えば、床の間、掛け軸、生け花を模した絵画を表示し、和風弁当を強調した。
【００３９】
図１２は、引き戸片１９を開いた状態を示し、引き戸１８を開くことで円窓を視認窓が表れ、円窓からなる視認窓は、周囲に枠部Ｃを描くことで如何にも和風を強調したものである。
【００４０】
図１３は、引き戸片１９を開いた状態で表れる視認窓１１７を花頭窓（火頭窓）形状として例を示し、また、図１４は、引き戸片１９を開いた状態で表れる視認窓２１７を雲形窓形状とし、図１５は、引き戸片１９を開いた状態で表れる視認窓３１７を角窓形状とした。
視認窓以外の構成生は、上記と同じなので、同一部分には同一符号を付し、詳細な説明は省略した。
【００４１】
図１２〜図１５で視認窓の具体的形状を挙げたが、これ以外の、例えば連子窓、三角、５角形、６角形、８角形等、晋窓の形状は任意であり、食品容器に収納される料理の種類で視認窓の形状を選択し、また、内蓋体の余白の絵画等も食品容器に収納される料理の種類で選択する。
また、視認窓の形状は、食品容器の形状、例えば、円形、楕円形、長円形、多角形等の形状に合わせ、収納する料理の種類に応じて選択し、設定する。
さらに、以上の食品容器１は、箱体、蓋体ともに紙や内側に樹脂コーティングした紙等で形成する。紙以外の樹脂等で形成しても良いことは前記と同様である。
【産業上の利用可能性】
【００４２】
本考案に係る食品容器は、弁当の容器として好適である。
【図面の簡単な説明】
【００４３】
【図１】本考案に係る食品容器の第１の実施の形態を示し、蓋体と箱体を分離した外観斜視図である。
【図２】図１の２−２線断面図である。
【図３】本考案の第２の実施の形態を示す分解斜視図である。
【図４】箱体の単体を示す斜視図である。
【図５】図４の５−５線断面図である。
【図６】外蓋体の底面から見た斜視図である。
【図７】図６の７−７線断面図である。
【図８】内蓋及び引き戸片を示し、（ａ）は内蓋の平面図、（ｂ）は引き戸片の平面図である。
【図９】食品容器（弁当箱）として組立後の状態を示す斜視図である。
【図１０】図９の１０−１０線断面図である。
【図１１】第２の実施の形態の第１実施例の引き戸を閉じた状態の斜視図である。
【図１２】図１１の実施例の視認窓開放状態の図である。
【図１３】視認窓の第２実施例の斜視図である。
【図１４】視認窓の第３実施例の斜視図である。
【図１５】視認窓の第４実施例の斜視図である。
【符号の説明】
【００４４】
１…食品容器、  ２…箱体、  ５…蓋体、  ６…視認窓、  ７…窓を開閉する引き戸、  １１…食品容器、  １２…箱体、  １４…外蓋体、  １５開口、  １６…内蓋体、  １７，１１７，２１７，３１７…視認窓、１９…引き戸片。
【図１】
0003136919.tif 000003
【図２】
0003136919.tif 000004
【図３】
0003136919.tif 000005
【図４】
0003136919.tif 000006
【図５】
0003136919.tif 000007
【図６】
0003136919.tif 000008
【図７】
0003136919.tif 000009
【図８】
0003136919.tif 000010
【図９】
0003136919.tif 000011
【図１０】
0003136919.tif 000012
【図１１】
0003136919.tif 000013
【図１２】
0003136919.tif 000014
【図１３】
0003136919.tif 000015
【図１４】
0003136919.tif 000016
【図１５】
0003136919.tif 000017